(57)【要約】基地局（１３２）からの出力制御ビットに反応してモバイル・ユニット（１０２）と基地局（１３２）との間のネットワーク制御を改善する、選択的な逆方向モバイルフレームバイアス付加機構が提供される。基地局（１３２）で受け取られたシグナリング・メッセージ（１２４）は、クリティカル・シグナリングメッセージを含むレスポンスを送ることをモバイル・ユニットに要求するシグナリング・メッセージを識別するためにモニタされる。基地局（１３２）はモバイル・ユニット（１０２）に、メッセージの持続時間の間に増加させた出力バイアスでクリティカル・シグナリング・メッセージを含むレスポンスを送るように通知する。モバイル・ユニット（１０２）の伝送力は、クリティカル・シグナリング・メッセージが送られた後で減衰される。
2005538663.tif 000002
【特許請求の範囲】
【請求項１】
モバイル・ユニットとインフラストラクチュアとの間の通信を制御するための無線通信システムであって、
モバイル・ユニットから通信信号を受け取るように構成されたレシーバを含むベース・レシーバ・ステーション；および
クリティカル・シグナリング・メッセージを含むクリティカル・レスポンスをモバイル・ユニットが送ることを要求する、モバイル・ユニットによって送信されるクリティカル・シグナリング・メッセージを識別するための、かつ、出力バイアス増加コマンドと共に前記基地局に前記クリティカル・シグナリング・メッセージを転送するための、前記レシーバに結合されて動作する選択分配ユニット；を備え、
前記基地局は、前記モバイル・ユニットに出力バイアス増加メッセージを送る前記出力バイアス増加コマンドに応答して、前記モバイル・ユニットに、増加した出力バイアスで前記基地局にクリティカル・レスポンスを送ることにより、前記クリティカル・シグナリング・メッセージに応答するように命令する；システム。
【請求項２】
前記選択分配ユニットにスピーチ・フレームを送るためのトランスコーダをさらに備えた、請求項１に記載のシステム。
【請求項３】
前記選択分配ユニットは、前記基地局への送信のために、前記スピーチ・フレームと前記シグナリング・メッセージとを結合させる、請求項２に記載のシステム。
【請求項４】
前記選択分配ユニットと前記基地局との間の前記通信路はＴ１スパンを含む、請求項１に記載のシステム。
【請求項５】
前記基地局は、前記モバイル・ユニットから受け取った通信の前記出力レベルをモニタし、前記モバイル・ユニットに出力制御ビットを送り前記モバイル・ユニットにその出力を調節させることにより前記出力レベルを調節する、請求項１に記載のシステム。
【請求項６】
モバイル・ユニットとインフラストラクチュアとの間の通信を制御するための改善された無線通信システムであって、
前記モバイル・ユニットから通信信号を受け取るように構成されたレシーバを含む基地局；および
前記レシーバに結合されて動作する選択分配ユニット；を備え、
前記選択分配ユニットは、クリティカル・シグナリング・メッセージを含むクリティカル・レスポンスをモバイル・ユニットが送ることを要求する、モバイル・ユニットによって送信されるクリティカル・シグナリング・メッセージを識別するための、かつ、出力バイアス増加コマンドと共に前記基地局に前記クリティカル・シグナリング・メッセージを転送するための、前記通信信号を受け取り、かつ前記通信信号を分析するアナライザを備え；
前記基地局は前記選択分配ユニットと結合されて動作し、前記基地局は、前記モバイル・ユニットに出力バイアス増加メッセージを送る前記出力バイアス増加コマンドに応答して、前記モバイル・ユニットに、増加した出力バイアスで前記基地局にクリティカル・レスポンスを送ることにより、前記クリティカル・シグナリング・メッセージに応答するように前記モバイル・ユニットに命令する；システム。
【請求項７】
クリティカル情報をモバイル・ユニットと基地局との間で無線通信する方法であって、
シグナリング・メッセージのソースを提供すること；
前記シグナリング・メッセージを受け取るために前記基地局に入力を提供すること；
所定の持続時間のクリティカル・シグナリング・メッセージを含むクリティカル・レス
ポンスを前記モバイル・ユニットが送ることを要求するシグナリング・メッセージを、前記シグナリング・メッセージの中から識別すること；および
前記基地局に前記クリティカル・レスポンスを送信する間に、伝送力を増大させるように前記モバイル・ユニットに命令する出力バイアス増加コマンドを、前記基地局から出力制御ビットを介して前記モバイル・ユニットに送ること；
から成る方法。
【請求項８】
トランスコーダを提供すること；
前記トランスコーダから前記基地局へスピーチ・フレームを送ること；および
前記基地局から前記モバイル・ユニットへシグナリング・メッセージと共にスピーチ・フレームを送ること；
というステップからさらに成る、請求項７に記載の方法。
【請求項９】
選択分配ユニットを提供すること；
前記選択分配ユニットにおいて、シグナリング・メッセージを前記スピーチ・フレームと結合すること；および
前記選択分配ユニットの出力を、前記モバイル・ユニットへの送信のために、前記基地局に伝達すること；
というステップからさらに成る、請求項７に記載の方法。
【請求項１０】
前記クリティカル・シグナリング・メッセージを識別するステップは、前記選択分配ユニットで実行され、前記選択分配ユニットは順方向の出力バイアス増加コマンドを前記基地局に伝達する、請求項９に記載の方法。
【発明の詳細な説明】
【技術分野】
【０００１】
本発明は一般に、一方のユニットが他方のユニットの伝送を制御する二つのユニット間の通信システムに関し、より詳細には、逆方向モバイルフレーム伝送に関する出力レベルの制御に関する。
【背景技術】
【０００２】
符号分割多元接続（ＣＤＭＡ）システムや時分割多元接続（ＴＤＭＡ）システム、ならびにそれらと同様なシステムを初めとする通信システムは、インフラストラクチュア設備とモバイル・ユニットとの間のメッセージを伝達する。本明細書に使用する場合、「順方向メッセージ」は、セルラ・インフラストラクチュア設備によって生成され、移動通信ユニットによって受け取られるよう送信されるメッセージのことを指す。また、「逆方向メッセージ」は、モバイルセルラ電話を初めとする移動通信ユニットによって生成され、セルラ・インフラストラクチュア設備に受け取られるよう送信されるメッセージのことを指す。
【０００３】
出力制御は大部分の通信システムにおける重要な機能であり、ＤＳ−ＣＤＭＡタイプの第２および第３世代セルラ・システムの適切なオペレーションに不可欠である。出力制御は、最小の出力レベルから最大のシステム容量までを使用している間に十分な通信リンク品質と情報スループットを維持するために使用される。移動局への情報の送信のためにベース・トランシーバ・ステーション（ＢＴＳ）によって使用される、順方向通信リンクの出力レベルの変更は、順方向出力制御と称される。サービスＢＴＳへの情報の送信のために移動局によって使用される、逆方向通信リンクの出力レベルの変更は、逆方向出力制御と称される。
【０００４】
通常のＣＤＭＡシステムでは、ベース・トランシーバ・ステーション間の境界領域に入る際に、移動局は、一つのベース・トランシーバ・ステーションとのやりとりから、両方のベース・トランシーバ・ステーションとの同時のやりとりに移行する。従って、一時的にさえ、通信が中断されることはなく、また通話の品質が低下することもない。このようなマルチリンク通信は、一般にソフト−ハンドオフと呼ばれている。ソフト−ハンドオフ機能を備えたサービス基地局からマルチ信号パスを受け取ってそれらを結合し、それにより順方向リンク出力の正味の降下を許容するため、移動局により重要なダイバーシティの利益が得られる。ソフト−ハンドオフには二つまたはそれより多くのＢＴＳが関与し得る。
【０００５】
シグナリング・フレームを初めとするクリティカルなシステムレベルの情報が、低いエラー率で効率良く、かつ高い信頼性で伝えられ、システム制御ができるだけ迅速に実現されることが、上述のシステムの適切かつ効率的な動作にとって必要である。
【発明を実施するための最良の形態】
【０００６】
本発明は、例えばシグナリングのようなクリティカルなシステムレベル情報を含んでいるものとして示された逆方向モバイルフレームに、選択的な出力の増加を提供する。環境要因および操作の制約により、シグナリングおよび他のクリティカルなフレームタイプは、ある時間の割合だけ消去され、モバイルによって数回再送信され、基地局によって完全な状態で受け取られなければならない。シグナリング・メッセージの喪失は、呼出の欠落につながり得る。本発明は、モバイルからのクリティカル・フレームの受け取りを予想することにより、この問題点を緩和する。基地局はモバイルに、クリティカル・フレームが
送信される前に逆方向リンクの伝送力を増大し、適切な数のフレームに対して増加された出力バイアスを維持するように助言する。
【０００７】
一般的には、クリティカル・フレームは命令または通信プロトコルに応じて送られるものであり、その構造、特にクリティカル・フレームの長さまたは持続時間は予め決定されている。基地局はモバイルに、既知のフレームシナリオ（例えば「３〜８のフレーム・ステータス応答メッセージ」）に従って、クリティカル部分の送信が終わるまで増加された出力バイアスを継続するよう助言する。本発明の原理による選択的フレームバイアス付加機構は、逆方向リンク上でモバイルから受け取った任意のフレームの出力を増加させるために使用され得るが、本発明はシグナリング・フレームの受け取りの増強に直接の用途を見出した。通信システムでは、シグナリング・フレームは通信リンクの維持に不可欠である。したがって、シグナリング・フレームのフレーム消去率（ＦＥＲ）が一般のデータ・フレームより低いことを保証することは有利である。本発明の原理によれば、基地局はモバイルに、クリティカル・フレームが送信される応答期間の間にその伝送力を増加させ、クリティカル・フレームの受け取りが成功する確率を増加させるように、モバイルに命令する。
【０００８】
大半の通信システム、特にセルラ・システムでは、システム・パラメータに交渉し、かつ通信セッションの無線周波数およびエア・インタフェースパラメータを調節するために必要なシグナリング・フレームが存在する。セルラ・システムでは、基地局はモバイルにシグナリング・メッセージを送信し、代わりのシグナリング・メッセージへの応答を期待する。モバイルが入力メッセージを評価し、かつレスポンスを送るのに必要な時間に基づいて、基地局は、シグナリング・メッセージへの応答が逆方向リンク上で受け取られる時間を認識する。本発明を制限するためではなく説明するために、シグナリング・フレームを、逆方向リンク上の優先的な出力増加を必要とするクリティカル・フレームの例と見なす。
【０００９】
望ましい場合、クリティカル・フレームの指定は、種々のタイプのフレーム内容に拡張することができる。しかしながら、伝送力のレベルの増加によって干渉が増加するため、通常、出力バイアスの増加を、システム動作に最も重要な最小の数のフレームタイプに制限するように、システム・オペレータを促すだろう。出力バイアスの増加を要求するために選択されたフレームは、その内容が通信リンクの維持に不可欠であると考えられ、また、基地局におけるそれらの概ねの到着時間が知られているという点で、「共通の」データ・フレームとは区別される。好ましくは、クリティカル・フレームは既知または評価できる持続時間を有する。
【００１０】
本発明は、適切な命令を送ることにより、その伝送力レベルを遠隔に制御することが可能な遠隔ユニットを有する、事実上いかなる通信システムを用いても、容易に利用することができる。本明細書で理解されるように、本発明は、遠隔ユニットから送信されるシグナリング・データを初めとする、最もクリティカルなシステムレベルデータの「セーフ・ガード」に特に適合される。詳細には、本発明は、クリティカルなシステム・レベルデータが、符号分割多元接続（ＣＤＭＡ）タイプのシステムを初めとする無線システムで通信される、音声データやデジタル・ネットワーク・データのようなそれほど重大でないトラフィックと共に現われる、セルラ通信システムに直接の用途を見出した。
【００１１】
図面を参照すると、図１は、符号分割多元接続（ＣＤＭＡ）デジタル無線電話システムを初めとする、無線通信システム１０を例証する。セルとも称されるベース・トランシーバ・ステーション（ＢＴＳ）１６，１８，２０，２２，２４および２６を初めとする固定通信ユニットは、エリア３０内で動作するモバイル・ユニットとも称される移動局４０と通信する。エリア２８，３０，３２および３８はそれぞれＢＴＳ  １６，１８，２０およ
び２６によってサービスを提供され、エリア３４および３６はＢＴＳ  ２２および２４によってサービスを提供されている。ＢＴＳ  １６，１８，２０および２６は基地局コントローラ（ＢＳＣ）４６に結合され、基地局コントローラ（ＢＳＣ）４６はとりわけ、トランスコーダ（ＸＣＤＲ）４２、プロセッサ１２およびメモリ１４を備えている。次に基地局コントローラ（ＢＳＣ）４６は、やはりプロセッサ１２とメモリ１４を備えた移動交換局（ＭＳＣ）４４に結合される。同様に、ＢＴＳ  ２２および２４はＢＳＣ  ４８に結合され、ＢＳＣ  ４８はとりわけ、ＸＣＤＲ  ４２、プロセッサ１２およびメモリ１４を備えている。次に、ＢＳＣ  ４８もＭＳＣ４４に結合される。ＢＳＣ  ４６および４８は基地局サブシステム（ＢＳＳ）とも称され得る。ＢＳＳは、一つのＢＳＣおよびその関連する複数のＢＴＳとして定義され得る。ＭＳＣ  ４４は公衆交換電話網（ＰＳＴＮ）６２に結合される。ＰＳＴＮ、ＭＳＣおよびＢＳＳは総称してインフラストラクチュアと称される。
【００１２】
ＢＴＳ  １６，１８，２０，２２，２４および２６と、モバイル・ユニット４０との間の無線通信は、物理的パスを提供する無線周波数（ＲＦ）チャネルを介して起こる。無線周波数（ＲＦ）チャネルを介して、音声やデータのようなデジタル通信信号が送られる。ベース・ユニットからモバイル・ユニットへのやりとりは順方向リンクで起こるとされ、モバイル・ユニットからベース・ユニットへのやりとりは逆方向リンクにあることとされる。
【００１３】
図１に示されるように、通信信号５０は、トラヒック・チャネルを初めとする順方向リンク・チャネル上を、基地局１８により移動局４０へ送信される。さらに、通信信号５６は、トラヒック・チャネルを初めとする逆方向リンクチャネル上を、基地局１８からの通信信号５０に応じて、移動局４０により送信される。
【００１４】
セルラ通信プロトコルでは、中央制御または「ベース」ステーションによって問い合わせをされると、遠隔モバイル・ユニットはメッセージを送信する。本発明は、順方向シグナリング・メッセージ中の要求されているクリティカル情報に対するクエリを検知する。順方向シグナリング・メッセージは、モバイル・ユニットからのレスポンスが示されているか否か、そして示されているならば要求レスポンスが通信リンクの維持に不可欠なクリティカル情報を含むか否かを決定するために、傍受または「覗き見（snoop ）」されるだろう。「覗き見」のためのモジュールが、図５の符号１８１および図６の符号１８３に示される。システム・クリティカルな応答データが予想される場合、システム・クリティカル・データを担持する逆方向シグナリング・フレームの出力が増加するように、モバイルの逆方向出力制御外側ループ目標値または他の適切な制御を増加させる処置が基地局によって講じられる。本発明の原理によれば、出力バイアスの増加は、適切な出力制御信号をモバイルに送ることにより、基地局により実行される。
【００１５】
一般に、システム・クリティカル・データの送信に使用される逆方向のモバイル出力レベルを選択的かつ一時的に増大するために、コマンドが、基地局（分散型出力制御システム、図７を参照）またはトランスコーダ（集中型出力制御システム、図６を参照）のいずれかによって送られ得る。システムの逆方向トラフィックは、通常、予め設定されたフォーマットと持続時間の別個のフレームに分解されている。無線伝送時間にわたって決定されてないシステムの場合、無線伝送時間の推定計算値（「最良のケースのモバイル・メッセージ・ターンアラウンド時間）を提供するために、従来のソフトウェアを使用することができる。したがって、システム・クリティカル・データのための無線伝送時間にわたる逆方向は、制御エンティティ、すなわち基地局またはトランスコーダのいずれかによって決定または推定される。
【００１６】
基地局は、逆方向シグナリング・メッセージの持続時間をモニタし、クリティカル・メ
ッセージが終了するまでモバイル出力制御目標値を高いレベルで維持する。システム・クリティカル・データ通信セッションが終了された後、モバイル・ユニットの出力制御は、所定の目標値または所定のフレーム誤り率（ＦＥＲ）目標を維持するために必要とされるレベルのような他の好ましい動作レベルまで減衰させる。上述の出力制御は「開ループ」環境を想定する。所望の場合、本発明の他の原理によれば、「閉ループ」出力制御も、所望の場合には呼び出しセットアップの間のより早い段階で可能である。従って、開ループと閉ループのいずれの出力制御も、本発明の原理による逆方向リンクの出力バイアスの増加を提供するために使用することができる。
【００１７】
図１に示した無線通信システムを、図２および図３にも単純化した形式で示す。まず図２を参照すると、通信システム１００は移動局１０２、第１のトランシーバ・ステーション１０４、第２のトランシーバ・ステーション１０３、および集中型基地局コントローラ（ＣＢＳＣ）１０５を備えている。ＣＢＳＣ  １０５はトランスコーダ  １０６と選択分配ユニット（ＳＤＵ）１１１を有する。システム１００は好ましくは複数の移動局と複数のベース・トランシーバ・ステーションを含むが、明瞭さのために図１では一つの移動局と二つのベース・トランシーバ・ステーションのみを描いている。システム１００は、シグナリング・メッセージを送信し、移動局による正確な送受信を要求する事実上いかなる通信システム（例えばＣＤＭＡまたはＴＤＭＡ）から構成されてよい。基地局１０３，１０４は、例えば、「ＭＯＴＯＲＯＬＡ  ＳＣ９６００」のベース・トランシーバ・ステーションである。第１の基地局１０４は、トランシーバ１０８、すなわち送信機および受信機を有する。第２の基地局１０３は、トランシーバ１０７、すなわち送信機および受信機を有する。トランシーバ１０７，１０８は、モバイル・ユニット１０２によって受け取られるべき無線ＲＦ信号を送信する。そのような送信は当該技術分野においてよく知られているため、さらに詳しくは説明しない。基地局１０３，１０４からモバイル・ユニット１０２に送信された信号は、ここでは、「順方向」トラヒック・フレームまたは「順方向」リンクメッセージと称され、順方向シグナリングおよび他のタイプのメッセージを含む。トランシーバ１０７，１０８は、当該技術分野においてよく知られているように、モバイル・ユニット１０２からメッセージを受け取る。そのようなメッセージは、「逆方向」トラヒック・フレームまたは「逆方向」リンクメッセージと称され、逆方向シグナリングおよび他のタイプのメッセージを含む。
【００１８】
モバイル・ユニット１０２は、ベース・トランシーバ・ステーション１０３，１０４とやりとりすることが可能なセルラ電話ユニットから好ましくは成る。好ましい実施形態では、モバイル・ユニット１０２は、無線データ端末またはテレビ電話であってもよい。モバイル・ユニット１０２は、当該技術分野においてよく知られているように、送信機と受信機を有するトランシーバ１１０を備えている。モバイル・ユニット１０２は、モバイル・ユニット１０２に配置されたトランシーバ１１０により逆方向リンクでメッセージを送り、モバイル・ユニット１０２に配置されたトランシーバ１１０で順方向リンクで基地局１０３，１０４により生成されたメッセージを受け取ることにより、基地局１０３，１０４と通信する。
【００１９】
選択分配ユニット（ＳＤＵ）１１１はＣＢＳＣ  １０５の中にある呼出処理プロセッサ（ＣＰＰ）１２０からシグナリング・フレームを受け取る。図３をさらに参照すると、ＣＰＰ  １２０は、パス１２４に沿ってＳＤＵ  １１１とシグナリング・メッセージを送受する。音声データは、パス１２６に沿ってトランスコーダ  １０６とＳＤＵ  １１１との間で伝送される。パス１３０は、通常はＴＩスパンを含むが、ＳＤＵ  １１１と基地局１３２との間の通信を提供する。ＳＤＵ  １１１はそのフレームの重要度基準をシグナリング・フレーム・タイプに適用し、モバイルの１０２からのシグナリング・フレームへの応答が出力バイアス増加処理を受けるべきであることを決定する。
【００２０】
ＳＤＵ  １１１は、シグナリング・メッセージがモバイル１０２に送信された時刻をマークし、ＳＤＵ  １１１に関連する所定のルックアップ・テーブル情報を使用して、モバイルの１０２からのシグナリング・メッセージへの応答の到着予定時間を参照する。上述したように、到着予定時間は、到着時間を正確に予想できない場合には、仕様に従ったデータ・セッションで計算されてもよいし、あるいは既知の技術を使用して推算してもよい。モバイルの１０２からのクリティカル・シグナル・メッセージの最も早い到着時間では、ＳＤＵ  １１１は基地局１３２に、既知の技術を使用して、出力制御サブチャネルで従来の出力増加ビットを送るように通知する。これらの出力増加ビットは、モバイルがクリティカルなシグナリングメッセージへの応答を基地局１３２に送る時間の間、所定の量（「増加出力バイアス」）だけその出力を増すようにモバイル１０２に命令する。
【００２１】
好ましくは、クリティカルな逆方向信号メッセージを「覗き見」し、かつクリティカル信号メッセージの持続時間に基づいて増加出力バイアスを維持するために、従来のソフトウェア技術が使用される。クリティカル・フレーム・メッセージが完全に受け取られたとみなされると、ＳＤＵ  １１１は増加出力バイアスを中止し、モバイルの１０２の出力制御は、次第に「減衰」するモード、または迅速モード、強制モード、もしくは制御モードで、通常の動作に戻る。
【００２２】
トランスコーダ  １０６からの共通のデータ伝送音声フレームはＳＤＵ１１１で受け取られ、ＴＩスパン・ライン１３０に転送される。シグナリング・メッセージがＣＰＰ  １２０からＳＤＵ  １１１に送信されると、ＳＤＵ  １１１は音声データ・ストリームに信号メッセージを挿入する。これは「ブランク・アンド・バースト（blank and burst ）」と呼ばれるシグナリングからの全体フレームの使用により、あるいは「ディム・アンド・バースト（dim and burst ）」と呼ばれる音声と信号情報との間のフレームの分割により、行われる。本発明は、単一フレームに適合する大部分のシグナリング・メッセージ、ならびにシグナリング・メッセージの伝達に複数のフレームが必要とされる例外的な例に向けられている。
【００２３】
基地局１３２はＳＤＵ  １１１から音声およびシグナリング・フレームを受け取り、それらを無線でモバイル１０２に送る。モバイル１０２はフレームを復調、解読する。モバイル１０２は音声フレームを処理し、フレームからシグナリング情報を抜き取る。モバイル１０２はそれ自身のシグナリング応答メッセージ１４６で応答する。無線（Over The Air, ＯＴＡ）送信は、エア・インタフェース１３６によって示される。図３に示されるように、エア・インタフェース・パス１３６は符号１４０で示された順方向シグナリング・メッセージ、符号１４２で示された順方向出力制御ビット、符号１４４で示されたチャネルエネルギー推定値、および符号１４６で示された逆方向シグナリング・メッセージを含む、多くの伝達情報を含んでいる。
【００２４】
基地局１３２とモバイル１０２がフレームを処理している間、それらは出力制御情報も処理している。基地局１３２は、モバイル１０２からの信号のエネルギーレベルのその測定に基づき、モバイル１０２に出力制御ビット１４２を送る。モバイル１０２は、出力制御ビット１４２により、各フレームの間に１６回１ｄＢだけその出力を変更するように向けられる。基地局１３２は、１つのフレーム当たり１６回エネルギー推定を行ない、そのエネルギー推定値が所定のエネルギー閾値より少ないか多いかに基づいてその出力を上昇または低下させるようにモバイル１０２に命令する。チャネルエネルギー推定に基づくパワー・マネジメントは周知であり、この目的で事実上いかなる商業上利用されている技術も使用することができる。
【００２５】
図４は、シグナリング情報が加えられた音声フレーム１５０の分解図を示す。符号１５２で示されたフレームの最初の部分は、フレームがシグナリング情報を含むか否かを示す
ヘッダ・ビットで構成される。フレームが音声データとシグナリングの両方を含んでいると仮定して、フレームが「ディム・アンド・バースト」タイプである場合、スピーチ部分１５４はスピーチ・データを含む。信号部分１５６はフレームのシグナリング・メッセージ部分である。シグナリング・データの長さはどのようなタイプのシグナリング・メッセージが送られるかに依存して変わる。シグナリング部分１５６に対するヘッダが参照数字１６０によって示される。メッセージ開始ビット１６２は、シグナリング・データ部分１５６の初めに位置する。メッセージ開始ビット１６２に続いて、８ビット長のメッセージフィールド１６４、シグナリング・メッセージのタイプを示す８ビットのメッセージ・タイプ１６６がある。
【００２６】
メッセージ・シーケンス番号フィールド（３ビット）１６８は、メッセージを受け取るモバイル１０２が、すべてのシグナリング・メッセージが順に受け取られていることを確認することを可能にする。ＡＣＫシーケンス・フィールド１７０（１ビット）は、モバイルが、肯定応答（ＡＣＫ）が順に受け取られることを確認することを可能にする。ＡＣＫ要求ビット１７２は、モバイルがメッセージに対する肯定応答を送る必要があるか否かを示す。ＡＣＫ要求は、明示的なレスポンスを有していないメッセージに対して設定される（例えばＩＳ２０００のサービス接続／サービス接続終了メッセージのペア）。ペイロード・フィールド１７４は実際のシグナリング・メッセージである。ペイロード・フィールドの長さはメッセージによって変わる。しばしば「内部ＣＲＣ」と呼ばれる巡回冗長検査（ＣＲＣ）１７６は、フレームのシグナリング部分の完全性を確認する。ＣＲＣフィールド１７６は１６ビットの長さを有している。フレームのシグナリング部分の後で、外部ＣＲＣ  １８０は、フレームの完全性を全体として確認する。ＣＲＣフィールド１８０は、フレーム・レートに依存して、８ビットから１２ビットの間の長さを有する。テール・ビット１８２は、モバイルが基地局からの送信の同期を確認することを可能にする。
【００２７】
上述したように、逆方向出力制御の外側ループ目標値は、基地局（分散型出力制御）によって増加されてもよいし、あるいはトランスコーダ（集中型出力制御）によって増加されてもよい。出力制御方式を示したシナリオを、ここで図５および６を参照しながら説明する。図５を参照して、集中型出力制御の構成を、トランスコーダ１８０、ベース・トランシーバ・ステーション（ＢＴＳ）１８２、およびモバイル１８４に関して説明する。トランスコーダ１８０は、シグナリング・メッセージが明示的なレスポンスを要求するか、１に設定されたＡＣＫ要求フィールド（図４のフィールド１７２を参照）を有することを判定する。図６に示した構成では、トランスコーダ  １８０には「覗き見」モジュール１８１が設けられ、クリティカル部分、ならびに従って選択バイアスを求める要求がメッセージ・ストリームに含まれるか否かを判定するために、送信されたシグナリング・メッセージをモニタする。出力制御目標値増加コマンドは、パス１８６に沿ってＢＴＳ  １８２に送られる。ＢＴＳ  １８２は、出力制御目標値の変化に基づいて、パス１８８に沿ってモバイル１８４へ出力増加ビットを送る。その後、モバイルは、パス１９０に沿って、増加された出力でシグナリング・フレームを逆方向に送る。シグナリング・メッセージ長が１フレームよりも大きい場合、ＢＴＳ  １８２はシグナリング・メッセージの持続時間の間、バイアス（すなわち増加出力）を維持する。
【００２８】
ここで図６を参照して、分散型出力制御による動作について説明する。トランスコーダ１８０はパス１８６に沿ってＢＴＳ  １８２にシグナリング・フレームを送る。ＢＴＳは符号１８３でシグナリング・フレームを傍受し、シグナリング・メッセージが明示的なレスポンスを有するか、または１に設定されたＡＣＫ要求フィールドを有することを判定する（図２の参照番号１７２を参照）。出力制御目標値が増加される。ＢＴＳは出力制御目標値を増加させ、出力増加ビットはパス１８８に沿ってモバイル１８４に送られる。モバイルは、パス１９０に沿って、増加された出力でシグナリング・フレームを逆方向に送る。シグナリング・メッセージ長が１フレームよりも大きい場合、ＢＴＳ  １８２はシグナ
リング・メッセージの持続時間の間、増加された出力バイアスを維持する。
【００２９】
「基地局」および「モバイル・ユニット」という用語を本明細書で使用したが、モバイルすなわち無線であろうとなかろうと、高い出力または他の強度に関連するボリュームレベルで遠隔送信ユニットがクリティカル・レスポンスを遠隔制御することが可能な、事実上いかなるタイプの通信ユニットにも本発明は使用することができることが理解されよう。
【００３０】
本発明の原理を特定の装置に関して上述したが、上記の説明は、例としてなされたにすぎず、本発明の範囲に対する制限としてなされたわけではないことが明らかに理解されよう。
【図面の簡単な説明】
【００３１】
【図１】本発明の好ましい実施形態による無線通信システムの略図。
【図２】図１の無線通信システムの単純化した形式の略図。
【図３】様々なコンポーネント間のメッセージのフローを示す無線通信システムの略図。
【図４】本発明の実施に使用される音声フレームの略図。
【図５】集中型出力制御を利用するシステム部分の略図。
【図６】分散型出力制御を利用するシステム部分の略図。
【図１】
2005538663.tif 000003
【図２】
2005538663.tif 000004
【図３】
2005538663.tif 000005
【図４】
2005538663.tif 000006
【図５】
2005538663.tif 000007
【図６】
2005538663.tif 000008
【国際調査報告】
2005538663.tif 000009